【手続補正書】
【提出日】平成18年2月3日(2006.2.3)
【手続補正１】
【補正対象書類名】明細書
【補正対象項目名】発明の名称
【補正方法】変更
【補正の内容】
【発明の名称】焦準装置の粗微動駆動装置及びこれを備えた顕微鏡
【手続補正２】
【補正対象書類名】明細書
【補正対象項目名】特許請求の範囲
【補正方法】変更
【補正の内容】
【特許請求の範囲】
【請求項１】
各粗動ハンドルが両端に取り付けられた粗動連結軸と、
この粗動連結軸と同軸上に回転自在に設けられた微動連結軸と、
前記粗動連結軸の回転に応じてステージを上下方向に移動させ、かつ前記微動連結軸の回転を減速して前記ステージを前記粗動連結軸を回転させたときの移動量よりも少ない移動量で移動させる移動機構と、
前記粗動連結軸及び前記微動連結軸の軸方向に前記各粗動ハンドルよりも外側に配置され、前記微動連結軸に対して着脱自在な微動ハンドルと、
を具備したことを特徴とする焦準装置の粗微動駆動装置。
【請求項２】
前記微動ハンドルは、前記微動連結軸の両端のうち少なくとも一方に対して着脱可能であることを特徴とする請求項１記載の焦準装置の粗微動駆動装置。
【請求項３】
前記微動連結軸の両端に設けられ、前記微動ハンドルを着脱可能に保持する連結部材を有することを特徴とする請求項１記載の焦準装置の粗微動駆動装置。
【請求項４】
前記連結部材及び前記微動ハンドルは、互いに着脱可能な嵌合部を有することを特徴とする請求項３記載の焦準装置の粗微動駆動装置。
【請求項５】
前記連結部材は、前記粗動連結軸の軸方向に前記各粗動ハンドルよりもそれぞれ外側に配置され、かつ前記各粗動ハンドルの外径よりも小さい外径に形成されたことを特徴とする請求項３記載の焦準装置の粗微動駆動装置。
【請求項６】
前記連結部材の外周上及び前記微動ハンドルの円周上表面のうち少なくとも一方に、目盛もしくはこの目盛を指示する指標のいずれかが付されていることを特徴とする請求項３記載の焦準装置の粗微動駆動装置。
【請求項７】
前記微動連結軸方向に長さの異なる複数の微動ハンドルを任意に着脱可能であることを特徴とする請求項１記載の焦準装置の粗微動駆動装置。
【請求項８】
試料を載置するステージと対物レンズとを相対移動させて焦準動作を行う焦準機構を備えた顕微鏡において、
第１のハンドルが設けられた第１連結軸の回転に応じて前記相対移動の粗動を行う第１の焦準機構と、
前記第１連結軸と共軸に設けられる第２連結軸の回転に応じて前記相対移動の微動を行う第２の焦準機構と、
第１のハンドルの外径よりも小さい外径に形成され、前記第２の連結軸の両端のうち少なくとも一方に着脱自在な第２のハンドルと、
を有することを特徴とする顕微鏡。
【請求項９】
前記第１の焦準機構及び前記第２の焦準機構は、互いに独立して前記焦準動作が可能であることを特徴とする請求項８記載の顕微鏡。
【請求項１０】
前記第２の連結軸の両端に設けられ、前記第２のハンドルを着脱可能に保持する連結部材をさらに備えることを特徴とする請求項８記載の顕微鏡。
【手続補正３】
【補正対象書類名】明細書
【補正対象項目名】０００１
【補正方法】変更
【補正の内容】
【０００１】
【発明の属する技術分野】本発明は、例えば顕微鏡の標本に対する焦点合わせを行うために粗微動の各ハンドルを操作することによってステージを上下方向に粗微動させる焦準装置の粗微動駆動装置に関する。
【手続補正４】
【補正対象書類名】明細書
【補正対象項目名】００１１
【補正方法】変更
【補正の内容】
【００１１】
そこで本発明は、ユーザにより簡単な作業で微動ハンドルを着脱でき、かつステージの操作に必要なスペースや微動ハンドル周りのスペースを確保できる焦準装置の粗微動駆動装置を提供することを目的とする。
【手続補正５】
【補正対象書類名】明細書
【補正対象項目名】００１２
【補正方法】変更
【補正の内容】
【００１２】
【課題を解決するための手段】  請求項１記載の発明は、各粗動ハンドルが両端に取り付けられた粗動連結軸と、この粗動連結軸と同軸上に回転自在に設けられた微動連結軸と、粗動連結軸の回転に応じてステージを上下方向に移動させ、かつ微動連結軸の回転を減速して前記ステージを粗動連結軸を回転させたときの移動量よりも少ない移動量で移動させる移動機構と、粗動連結軸及び微動連結軸の軸方向に各粗動ハンドルよりも外側に配置され、微動連結軸に対して着脱自在な微動ハンドルと、
を具備したことを特徴とする焦準装置の粗微動駆動装置。
【手続補正６】
【補正対象書類名】明細書
【補正対象項目名】００１３
【補正方法】変更
【補正の内容】
【００１３】
また、請求項２記載の発明は、微動ハンドルは、微動連結軸の両端のうち少なくとも一方に対して着脱可能であることを特徴とする請求項１記載の焦準装置の粗微動駆動装置。
また、請求項３記載の発明は、微動連結軸の両端に設けられ、微動ハンドルを着脱可能に保持する固定部材を有することを特徴とする請求項１記載の焦準装置の粗微動駆動装置。
また、請求項４記載の発明は、固定部材及び前記微動ハンドルは、互いに着脱可能な嵌合部を有することを特徴とする請求項３記載の焦準装置の粗微動駆動装置。
また、請求項５記載の発明は、固定部材は、粗動連結軸の軸方向に前記各粗動ハンドルよりもそれぞれ外側に配置され、かつ各粗動ハンドルの外径よりも小さい外径に形成されたことを特徴とする請求項３記載の焦準装置の粗微動駆動装置。
また、請求項６記載の発明は、固定部材の外周上及び微動ハンドルの円周上表面のうち少なくとも一方に、目盛もしくはこの目盛を指示する指標のいずれかが付されていることを特徴とする請求項３記載の焦準装置の粗微動駆動装置。
また、請求項７記載の発明は、微動連結軸方向に長さの異なる複数の微動ハンドルを任意に着脱可能であることを特徴とする請求項１記載の焦準装置の粗微動駆動装置。
【手続補正７】
【補正対象書類名】明細書
【補正対象項目名】００１４
【補正方法】変更
【補正の内容】
【００１４】
請求項８記載の発明は、試料を載置するステージと対物レンズとを相対移動させて焦準動作を行う焦準機構を備えた顕微鏡において、第１のハンドルが設けられた第１連結軸の回転に応じて相対移動の粗動を行う第１の焦準機構と、第１連結軸と共軸に設けられる第２連結軸の回転に応じて相対移動の微動を行う第２の焦準機構と、第１のハンドルの外径よりも小さい外径に形成され、第２の連結軸の両端のうち少なくとも一方に着脱自在な第２のハンドルと、を有することを特徴とする顕微鏡。
請求項９記載の発明は、第１の焦準機構及び第２の焦準機構は、互いに独立して焦準動作が可能であることを特徴とする請求項８記載の顕微鏡。
請求項１０記載の発明は、第２の連結軸の両端に設けられ、第２のハンドルを着脱可能に保持する連結部材をさらに備えることを特徴とする請求項８記載の顕微鏡。
【手続補正８】
【補正対象書類名】明細書
【補正対象項目名】００２３
【補正方法】変更
【補正の内容】
【００２３】
微動連結軸７６は、粗動連結軸７０の中空部に回転自在に設けられている。従って、粗動連結軸７０と微動連結軸７６とは、同軸で回転するものとなっている。この微動連結軸７６は、その右端に右側の微動ハンドル４７を着脱自在にする固定手段としての右連結部材５０が一体的に設けられている。微動ギヤ７７は、右連結部材５０に対して一体化されている。
【手続補正９】
【補正対象書類名】明細書
【補正対象項目名】００２４
【補正方法】変更
【補正の内容】
【００２４】
この右連結部材５０は、右粗動ハンドル４９の外側で、かつ右粗動ハンドル４９の径よりも小さい径に形成されている。この右連結部材５０には、中心軸付近に嵌合凸部５０ａが設けられている。
【手続補正１０】
【補正対象書類名】明細書
【補正対象項目名】００２５
【補正方法】変更
【補正の内容】
【００２５】
又、右連結部材５０には、右側の微動ハンドル４７を脱着するためのネジ部が設けられている。右側の微動ハンドル４７は、左微動ハンドル４７と同一構成であり、これら微動ハンドル４７は左右共用となっている。図４は右側の微動ハンドル４７を示す構成図である。
【手続補正１１】
【補正対象書類名】明細書
【補正対象項目名】００２６
【補正方法】変更
【補正の内容】
【００２６】
右側の微動ハンドル４７を脱着するための受け手である右連結部材５０のネジ部には、座ぐり形状の座ぐり穴５０ａが形成されている。この右側の微動ハンドル４７自体のネジ部には、円筒状のインサートネジ５０ｂが圧入固定され、このインサートネジ５０ｂの突出部が右連結部材５０の座ぐり穴５０ａに嵌まり込むことにより、位置合わせが容易になっている。又、ネジ部の座ぐり形状は、右連結部材５０を直接回転させるための引っかけ窪みとしての機能がある。なお、右側の微動ハンドル４７は、右連結部材５０に対して取付けネジ７８により取り付けられる。
【手続補正１２】
【補正対象書類名】明細書
【補正対象項目名】００３１
【補正方法】変更
【補正の内容】
【００３１】
左粗動ハンドル４８は、粗動軸８５に一体化されている。スペーサ８６、板バネ８７は、左側の微動ハンドル４７を着脱自在にする固定手段としての左連結部材８８と粗動軸８５との間に挿入されている。左微動環８８とスペーサ８６との間に位置している板バネ８７は、左右の連結部材５０、８８の回転負荷トルクを生じさせ、重力による自然回転を防止している。
【手続補正１３】
【補正対象書類名】明細書
【補正対象項目名】００３２
【補正方法】変更
【補正の内容】
【００３２】
左連結部材８８は、右連結部材５０と同様に左粗動ハンドル４８の外側で、かつ左粗動ハンドル４８の径より小さく形成されている。
【手続補正１４】
【補正対象書類名】明細書
【補正対象項目名】００３９
【補正方法】変更
【補正の内容】
【００３９】
図１に示す場合、右側にステージ操作ハンドル５１が位置しているので、右微動ハンドル４７は取り付けていない。この右微動ハンドル４７を取り付けると、ステージ操作ハンドル５１と右微動ハンドル４７とが近接し、双方共に操作性が悪くなる。ステージ操作ハンドル５１は、図１に示すように前後方向のみ移動するので、例えば右手によるステージ操作ハンドル５１と右連結部材５０との操作が可能である。
【手続補正１５】
【補正対象書類名】明細書
【補正対象項目名】００４０
【補正方法】変更
【補正の内容】
【００４０】
この右連結部材５０の側面には、窪みがあるので、この窪みに例えば指先を押しながら回転させれば、右微動ハンドル４７を回転させたときと同様に微動の操作ができる。なお、左連結部材８８を回転させても同様に微動の操作ができる。
【手続補正１６】
【補正対象書類名】明細書
【補正対象項目名】００４１
【補正方法】変更
【補正の内容】
【００４１】
又、ステージ操作ハンドル５１が正面から見て左側に配置されている場合には、左側の微動ハンドル４７を取り外し、右連結部材５０に取り付け変更することで、ユーザにより簡単に変更作業ができる。この作業は、顕微鏡付属の標準工具を用い、左微動ハンドル４７を取付けネジ７８を緩めて取り外し、この微動ハンドル４７を右連結部材５０の取付けネジ７８の位置に合わせて嵌合し、ガイドに押し込んで、再び取付けネジ７８を標準工具で締め付けることで完了となる。
【手続補正１７】
【補正対象書類名】明細書
【補正対象項目名】００４３
【補正方法】変更
【補正の内容】
【００４３】
一般に、顕微鏡の場合、オートフォーカスユニット（微動軸をモータで回転させ、自動でピント合わせを行う）、フロントオペレーション（顕微鏡の奥へ手を差し伸べたくないときに微動ハンドル、粗動ハンドルを手前に配置したもの）のために焦準部に外付ユニットを装着するケースがある。通常はメーカ側で改造を施し供給するか、サービス部門がユーザの所へ出向き改造を施すというのが一般的であるが、本発明の装置では、左右の連結部材５０、８８の状態で軸位置決め用の嵌合凸部と固定用のネジを有しているので、上記外付ユニットを嵌合＋ネジ取付けタイプで製作すれば、容易にユーザによる着脱が可能となる。
【手続補正１８】
【補正対象書類名】明細書
【補正対象項目名】００４４
【補正方法】変更
【補正の内容】
【００４４】
このように上記第１の実施の形態によれば、微動連結軸７６の両端に設けられ、粗動連結軸７０の軸方向に各粗動ハンドル４８、４９よりもそれぞれ外側に配置され、かつ各粗動ハンドル４８、４９の外径よりも小さい外径に形成された各連結部材５０、８８と、これら連結部材５０、８８に対して着脱自在で、これら連結部材５０、８８のいずれか一方又は両方に対して取り付けられる微動ハンドル４７とを備えたので、左右の微動ハンドル４７の周りのスペースを拡大でき、かつこれら微動ハンドル４７の脱着が簡単にできる。又、微動ハンドル４７を取り付けなくても回転操作できる。外付ユニットの取付けが容易にできる。
【手続補正１９】
【補正対象書類名】明細書
【補正対象項目名】００４５
【補正方法】変更
【補正の内容】
【００４５】
なお、上記第１の実施の形態は、次の通り変形してもよい。左右の連結部材５０、８８の嵌合は軸位置決めができればどのような手段でも構わなく、例えば穴が３ケ所にあっても、又嵌合が４角形状でもよい。さらに、穴ではなく軸形状でも構わない。
【手続補正２０】
【補正対象書類名】明細書
【補正対象項目名】００４６
【補正方法】変更
【補正の内容】
【００４６】
左右の連結部材５０、８８の回転操作用の窪みは指の先で回転し易ければよく、形にはこたわらない。スペースが許されれば凸形状でも構わない。
【手続補正２１】
【補正対象書類名】明細書
【補正対象項目名】００５０
【補正方法】変更
【補正の内容】
【００５０】
図５は本発明の焦準装置の粗微動駆動装置に用いる微動ハンドルの構成図である。長微動ハンドル１００は、取付けネジ７８により右連結部材５０に対して脱着自在となっている。この長微動ハンドル１００は、図４に示す微動ハンドル４７の長さよりも所定の長さだけ長く形成されている。
【手続補正２２】
【補正対象書類名】明細書
【補正対象項目名】００５３
【補正方法】変更
【補正の内容】
【００５３】
このように上記第２の実施の形態においては、長微動ハンドル１００を取付けネジ７８により右連結部材５０に対して脱着自在としたので、上記第１の実施の形態の効果に加えて、障害物を避けて微動ハンドル１００の操作性を確保できる。
【手続補正２３】
【補正対象書類名】明細書
【補正対象項目名】００５６
【補正方法】変更
【補正の内容】
【００５６】
又、右連結部材５０の斜面には、線表示１０２が記されている。この線表示１０２と共に記されている数字は、移動量（μｍ）を表わしている。
【手続補正２４】
【補正対象書類名】明細書
【補正対象項目名】００５７
【補正方法】変更
【補正の内容】
【００５７】
このように各線表示１０２を右連結部材５０に記載すれば、例えば微動ハンドル４９が無くても表示を読むことが可能である。通常表示を読むときは、ステージ４６を移動させる前の数値を控えてから移動後の数値を引けば移動量が算出できる。
【手続補正２５】
【補正対象書類名】明細書
【補正対象項目名】００５９
【補正方法】変更
【補正の内容】
【００５９】
なお、線表示は、右粗動ハンドル４９における右連結部材５０に限らず、左粗動ハンドル４８における左連結部材８８に記してもよい。
【手続補正２６】
【補正対象書類名】明細書
【補正対象項目名】００６３
【補正方法】変更
【補正の内容】
【００６３】
又、右粗動ハンドル４９における右連結部材５０との境界である円周上には、各線表示１０６が記されている。これら線表示１０６は、例えば９０度間隔で４箇所に記されている。
【手続補正２７】
【補正対象書類名】明細書
【補正対象項目名】００６５
【補正方法】変更
【補正の内容】
【００６５】
なお、線表示は、右粗動ハンドル４９における右連結部材５０に限らず、左粗動ハンドル４８における左連結部材８８に記してもよい。
【手続補正２８】
【補正対象書類名】明細書
【補正対象項目名】００６６
【補正方法】変更
【補正の内容】
【００６６】
【発明の効果】以上詳記したように本発明によれば、ユーザにより簡単な作業で微動ハンドルを着脱でき、かつステージの操作に必要なスペースや微動ハンドル回りのスペースを確保できる焦準装置の粗微動駆動装置を提供できる。
【図面の簡単な説明】
【図１】本発明に係わる焦準装置の粗微動駆動装置の第１の実施の形態を用いた顕微鏡の全体構成図。
【図２】本発明に係わる焦準装置の粗微動駆動装置の第１の実施の形態における顕微鏡を側面から見た構成図。
【図３】本発明に係わる焦準装置の粗微動駆動装置の第１の実施の形態における焦準ハンドル部の断面構成図。
【図４】本発明に係わる焦準装置の粗微動駆動装置の第１の実施の形態における右側の微動ハンドルを示す構成図。
【図５】本発明に係わる焦準装置の粗微動駆動装置の第２の実施の形態における微動ハンドルの構成図。
【図６】本発明に係わる焦準装置の粗微動駆動装置の第３の実施の形態における微動ハンドルの構成図。
【図７】本発明に係わる焦準装置の粗微動駆動装置の第４の実施の形態における微動ハンドルの構成図。
【図８】従来の顕微鏡の概要図。
【図９】従来の顕微鏡の焦準装置の構成図。
【図１０】同装置の左側の粗動ハンドル及び微動ハンドルを取り外して蓋を取り付けて覆い隠した状態を示す図。
【符号の説明】
４０：顕微鏡本体
４１：レボルバ
４２：対物レンズ
４３：鏡筒
４４：接眼レンズ
４５：ステージ受け
４６：ステージ
４７：左微動ハンドル
４８：左粗動ハンドル
４９：右粗動ハンドル
５０：右連結部材
５０ａ：座ぐり穴
５０ｂ：インサートネジ
５１：ステージ操作ハンドル
６０：ワイヤ
６１：ローラ
６２：移動ガイド
６３：ラック
６４：ピニオン軸
６５：中間ギヤ
６６：ギヤ
６７：焦準ハンドル本体軸
６８：鋼球
６９：止めネジ
７０：粗動連結軸
７１：遊星ギヤ本体
７２，７３，７４：ギヤ
７５：押さえ板
７６：微動連結軸
７７：微動ギヤ
７８：取付けネジ
７９：回転止めネジ
８０：滑り板
８１：粗動重さ調整環
８２：バネ
８３：ネジ軸
８４：回転体
８５：粗動軸
８６：スペーサ
８７：板バネ
８８：左連結部材
８９：粗動ストッパハンドル
９０：バネ
９１：止めネジ
１００：長微動ハンドル
１０１，１０２：線表示
１０３：微動ハンドル
１０４：段差
１０５，１０６：線表示
【手続補正２９】
【補正対象書類名】図面
【補正対象項目名】図１
【補正方法】変更
【補正の内容】
【図１】
2001166195.tif 000001
【手続補正３０】
【補正対象書類名】図面
【補正対象項目名】図３
【補正方法】変更
【補正の内容】
【図３】
2001166195.tif 000002
【手続補正３１】
【補正対象書類名】図面
【補正対象項目名】図４
【補正方法】変更
【補正の内容】
【図４】
2001166195.tif 000003